(57)【要約】【課題】貯蔵室内の冷気循環を確保でき、且つ、前後支柱に架設されるレールの落下を確実に防止することができる冷却貯蔵庫を提供する。【解決手段】レール１６に形成された一対の係合爪１７と、前後支柱１３、１４にそれぞれ複数形成され、レールの係合爪がそれぞれ係脱自在に係合する係合孔１８と、両支柱に架設された状態のレール後方に対応して後支柱に取り付けられるガード２１とを備える。ガードは、レールの後端部に係合してレールの移動を規制すると共に、レールに保持された状態で物品収納容器はガードに当接し、その状態で容器と貯蔵室Ｄの背面間には、貯蔵室に吐出された冷気が降下する冷気通路Ｄが構成される。【選択図】図４
2012154609.tif 000002
【特許請求の範囲】
【請求項１】
貯蔵室の側面前後にそれぞれ設けられた前支柱及び後支柱間に渡ってレールを架設し、該レールに物品収納用の容器又は物品載置用の棚を保持させると共に、前記貯蔵室の後上部より当該貯蔵室内に冷気を吐出して成る冷却貯蔵庫において、
前記レールに形成された一対の係合爪と、
前記両支柱にそれぞれ複数形成され、前記レールの係合爪がそれぞれ係脱自在に係合する係合孔と、
前記両支柱に架設された状態の前記レール後方に対応して前記後支柱に取り付けられるガードとを備え、
該ガードは、前記レールの後端部に係合して該レールの移動を規制すると共に、前記レールに保持された状態で前記容器又は棚は前記ガードに当接し、その状態で前記容器又は棚と前記貯蔵室の背面間には、前記貯蔵室に吐出された冷気が降下する冷気通路が構成されることを特徴とする冷却貯蔵庫。
【請求項２】
前記ガードは、前記後支柱に取り付けられた状態で前記貯蔵室の背面より離間し、前面に前記容器又は棚が当接する当接部を有し、該当接部の裏面と前記貯蔵室の背面間にも前記冷気通路が構成されることを特徴とする請求項１に記載の冷却貯蔵庫。
【請求項３】
前記後支柱は、前記貯蔵室の側面に位置して前記係合孔が形成された側面部と、該側面部から連続して前記貯蔵室の背面に位置する背面部とを有し、
前記ガードは、前記当接部から連続して前記貯蔵室の側面から離間する方向に延在する取付部を有し、該取付部が前記後支柱の背面部に取り付けられることを特徴とする請求項２に記載の冷却貯蔵庫。
【請求項４】
前記ガードは、前記当接部から連続して前記貯蔵室の側面方向に延在する挿入部と、前記両支柱に架設された状態の前記レールが係合する係合溝を有し、該係合溝は前記挿入部から前記当接部に渡って形成されていることを特徴とする請求項２又は請求項３に記載の冷却貯蔵庫。
【請求項５】
前記係合孔は、前記レールの係合爪を挿脱可能な上下寸法を有する挿脱部と、該挿脱部から連続して前方に延在し、前記係合爪の移動が規制される上下寸法の狭幅部とから成り、該狭幅部に係合した状態で前記レールは前記ガードの係合溝に係合することを特徴とする請求項４に記載の冷却貯蔵庫。
【請求項６】
前記ガードの挿入部は、前記係合溝から当該挿入部の先端までの間に、該先端に向けて徐々に後退する傾斜壁を有することを特徴とする請求項４又は請求項５に記載の冷却貯蔵庫。
【発明の詳細な説明】
【技術分野】
【０００１】
本発明は、貯蔵室の側面に設けた前後の支柱間にレールを架設し、このレールに物品収納容器や棚を架設して成る冷却貯蔵庫に関するものである。
【背景技術】
【０００２】
従来より例えばホテルやレストラン、食堂等の厨房に設置される業務用冷蔵庫には、断熱箱体内に物品を冷却貯蔵する貯蔵室を構成し、この貯蔵室の側面の前後に前支柱と後支柱とをそれぞれ設け、前後の支柱間にはレールを架設し、このレールに物品収納容器や物品を載置するための棚を保持させる構造とされているものがある。
【０００３】
そして、この貯蔵室内の上部には断熱箱体の上面に取り付けた冷却装置の蒸発器が臨み、この蒸発器と熱交換した冷気を貯蔵室の後上部より吐出して冷却する構造とされていた（例えば、特許文献１参照）。
【先行技術文献】
【特許文献】
【０００４】
【特許文献１】特開平１−３１４８８６号公報
【特許文献２】特開２０００−１４６４２８号公報
【発明の概要】
【発明が解決しようとする課題】
【０００５】
しかしながら、物品収納容器は貯蔵室の前面開口からレール上をスライドさせて挿入されるため、例えば物品収納容器が貯蔵室の背面に当接し、或いは、直前まで押し込まれると、貯蔵室の後上部から吐出された冷気が物品収納容器に堰き止められて循環できなくなり、貯蔵室全体を均一且つ効果的に冷却することができなくなる問題があった。
【０００６】
また、レールは前後に形成した一対の係合爪を前後支柱の係合孔にそれぞれ上から差し込んで係脱自在に係合させるものであるため、例えば物品収納容器をレールの前部に載せた場合、レールの前部のみに偏って荷重が加わるために後部が浮き上がり、係合爪が係合孔から外れてレール及び物品収納容器が落下してしまう危険性があった。
【０００７】
そこで、前記特許文献１では前後支柱のそれぞれにストッパー板をネジ止めし、係合爪の上側を抑えて浮き上がらないようにしていたが、前後に取り付けなければならないため、取付が極めて面倒なものであった。そこで、前記特許文献２の如く支柱の係止穴に受枠（レール）が浮き上がることを規制するストッパ部を形成する方法もあるが、受枠が前方にずれるとストッパ部から外れてしまうため、やはり落下を確実に防止することはできなかった。
【０００８】
本発明は、係る従来の技術的課題を解決するために成されたものであり、貯蔵室内の冷気循環を確保でき、且つ、前後支柱に架設されるレールの落下を確実に防止することができる冷却貯蔵庫を提供するものである。
【課題を解決するための手段】
【０００９】
本発明の冷却貯蔵庫は、貯蔵室の側面の前後に設けられた前支柱及び後支柱間に渡ってレールを架設し、このレールに物品収納用の容器又は物品載置用の棚を保持させると共に、貯蔵室の後上部より当該貯蔵室内に冷気を吐出して成るものであって、レールに形成された一対の係合爪と、両支柱にそれぞれ複数形成され、レールの係合爪がそれぞれ係脱自在に係合する係合孔と、両支柱に架設された状態のレール後方に対応して後支柱に取り付けられるガードとを備え、このガードは、レールの後端部に係合してレールの移動を規制すると共に、レールに保持された状態で容器又は棚はガードに当接し、その状態で容器又は棚と貯蔵室の背面間には、貯蔵室に吐出された冷気が降下する冷気通路が構成されることを特徴とする。
【００１０】
請求項２の発明の冷却貯蔵庫は、上記においてガードは、後支柱に取り付けられた状態で貯蔵室の背面より離間し、前面に容器又は棚が当接する当接部を有し、この当接部の裏面と貯蔵室の背面間にも冷気通路が構成されることを特徴とする。
【００１１】
請求項３の発明の冷却貯蔵庫は、上記において後支柱は、貯蔵室の側面に位置して係合孔が形成された側面部と、この側面部から連続して貯蔵室の背面に位置する背面部とを有し、ガードは、当接部から連続して貯蔵室の側面から離間する方向に延在する取付部を有し、この取付部が後支柱の背面部に取り付けられることを特徴とする。
【００１２】
請求項４の発明の冷却貯蔵庫は、請求項２又は請求項３の発明においてガードは、当接部から連続して貯蔵室の側面方向に延在する挿入部と、両支柱に架設された状態のレールが係合する係合溝を有し、この係合溝は挿入部から当接部に渡って形成されていることを特徴とする。
【００１３】
請求項５の発明の冷却貯蔵庫は、上記において係合孔は、レールの係合爪を挿脱可能な上下寸法を有する挿脱部と、この挿脱部から連続して前方に延在し、係合爪の移動が規制される上下寸法の狭幅部とから成り、この狭幅部に係合した状態でレールはガードの係合溝に係合することを特徴とする。
【００１４】
請求項６の発明の冷却貯蔵庫は、請求項４又は請求項５の発明においてガードの挿入部は、係合溝から当該挿入部の先端までの間に、該先端に向けて徐々に後退する傾斜壁を有することを特徴とする。
【発明の効果】
【００１５】
本発明によれば、貯蔵室の側面の前後に設けられた前支柱及び後支柱間に渡ってレールを架設し、このレールに物品収納用の容器又は物品載置用の棚を保持させると共に、貯蔵室の後上部より当該貯蔵室内に冷気を吐出して成る冷却貯蔵庫において、レールに形成された一対の係合爪と、両支柱にそれぞれ複数形成され、レールの係合爪がそれぞれ係脱自在に係合する係合孔と、後支柱に取り付けられるガードとを備え、このガードは、レールの後端部に係合してレールの移動を規制するので、レールの前部に容器を載置し、或いは、棚上の前部に偏って物品を載置した場合にも、レール後部が浮き上がって係合爪が係合孔から外れ、落下してしまう不都合を防止することができるようになる。この場合、ガードは後支柱のみ取り付けるものであるため、取付作業も簡素化される。
【００１６】
また、ガードは両支柱に架設された状態のレール後方に対応しており、レールに保持された状態で容器又は棚はガードに当接し、その状態で容器又は棚と貯蔵室の背面間には、貯蔵室に吐出された冷気が降下する冷気通路が構成されるので、容器又は棚が貯蔵室背面に当接し、又は、直前まで押し込まれることが無くなり、容器又は棚上の物品と貯蔵室背面間には冷気通路が確実に構成される。これにより、貯蔵室の後上部から吐出された冷気は円滑に冷気通路内を降下し、貯蔵室内を循環することができるようになり、貯蔵室内の均一且つ効果的な冷却を実現することができるようになるものである。
【００１７】
また、請求項２の発明によれば、上記に加えてガードは、後支柱に取り付けられた状態で貯蔵室の背面より離間し、前面に容器又は棚が当接する当接部を有しており、この当接部の裏面と貯蔵室の背面間にも冷気通路が構成されるようにしたので、万一棚上の物品等が棚から更に後方に飛び出して収納され、貯蔵室の背面との間の冷気通路を塞いでしまった場合にも、ガードの当接部と貯蔵室の背面間には確実に冷気通路は構成されるので、貯蔵室内の冷気循環をより一層効果的且つ確実に行わせることができるようになるものである。
【００１８】
また、請求項３の発明によれば、上記に加えて後支柱は、貯蔵室の側面に位置して係合孔が形成された側面部と、この側面部から連続して貯蔵室の背面に位置する背面部とを有しており、ガードは、当接部から連続して貯蔵室の側面から離間する方向に延在する取付部を有し、この取付部を後支柱の背面部に取り付けるようにしたので、貯蔵室の側面から離れた位置でガードを後支柱に取り付けることができるようになり、貯蔵室内の奥部での作業となるガードの取付作業性も良好となる。
【００１９】
また、請求項４の発明によれば、請求項２又は請求項３の発明に加えてガードは、当接部から連続して貯蔵室の側面方向に延在する挿入部と、両支柱に架設された状態のレールが係合する係合溝を有しており、この係合溝を挿入部から当接部に渡って形成しているので、両支柱に架設された状態のレール後方にガードの当接部を対応させ、且つ、レールとガードとの係合を達成することが可能となり、冷気通路の構成とレールの落下防止効果を確実に享受することができるようになる。
【００２０】
更に、請求項５の発明によれば、係合孔を、レールの係合爪を挿脱可能な上下寸法を有する挿脱部と、この挿脱部から連続して前方に延在し、係合爪の移動が規制される上下寸法の狭幅部とから構成し、この狭幅部に係合した状態でレールがガードの係合溝に係合するようにしたので、レールの前後の浮き上がりを防止し、落下を確実に防止することが可能となる。
【００２１】
この場合、請求項６の発明の如くガードの挿入部の係合溝から当該挿入部の先端までの間に、該先端に向けて徐々に後退する傾斜壁を設ければ、レールの係合爪を係合孔の狭幅部に係合させた状態で、ガードを貯蔵室の背面及び後支柱の背面部に沿って当該後支柱の側面部方向に移動させ、傾斜壁をレールと後支柱の背面部間に挿入し、レールの後端部をガードの係合溝に係合させ易くなり、取付作業性が更に向上するものである。
【図面の簡単な説明】
【００２２】
【図１】本発明を適用した冷却貯蔵庫の概略縦断側面図である。
【図２】図１の冷却貯蔵庫の断熱箱体上部の拡大縦断側面図である。
【図３】図１のＡ−Ａ線断面図である。
【図４】図１の冷却貯蔵庫の前後支柱とレール及びガードの分解斜視図である。
【図５】ガードを取り付ける操作を説明するための図１の冷却貯蔵庫の後支柱の平断面図である。
【図６】ガードが取り付けられた状態の図１の冷却貯蔵庫の後支柱の平断面図である。
【発明を実施するための形態】
【００２３】
以下、図面に基づいて本発明の実施の形態について、詳細に説明する。実施例の冷却貯蔵庫１は、例えばホテルやレストランの厨房に設置される所謂業務用冷蔵庫（この出願において冷蔵庫とは、冷蔵のみ、冷凍のみ、又は、冷凍冷蔵の双方の機能を有するもの全てを含む概念とする）であり、前方に開口する縦長矩形状の断熱箱体２内に前面が開口した貯蔵室３が構成されている。尚、この貯蔵室３の前面開口は図示しない断熱扉にて開閉自在に閉塞される。
【００２４】
断熱箱体２の上面には機械室４が構成されており、この機械室４内に図示しない圧縮機や凝縮器などから冷媒回路が構成された冷却装置が設置されている。断熱箱体２の天壁２Ａには図示しない開口が形成されており、この開口から冷却装置の冷媒回路を構成する蒸発器６が貯蔵室３内天井部に臨んでいる（図２）。この蒸発器６の下側にはドレンパンを兼用する蒸発器カバー７が取り付けられており、この蒸発器カバー７の後端部には冷気吐出口８が形成されている。また、蒸発器６の前側の蒸発器カバー７上側には冷気循環用の送風機９が取り付けられており、この送風機９の下側に対応する部分の蒸発器カバー７には冷気吸込口１１が形成されている。
【００２５】
冷却装置の圧縮機及び送風機９が運転されると、蒸発器６が冷却作用を発揮し、この蒸発器６と熱交換して冷却された冷気は冷気吐出口８から貯蔵室３内に吐出される。即ち、冷気は貯蔵室３の後上部から当該貯蔵室３内に吐出される。そして、貯蔵室３内を循環して貯蔵室３内の物品を冷却した冷気は、冷気吸込口１１から送風機９に吸い込まれ、蒸発器６に送給される循環を繰り返す。
【００２６】
一方、貯蔵室３の左右側面３Ａ、３Ｂの前後には、前支柱１３及び後支柱１４が上下に渡って設けられている。また、貯蔵室３の左右方向の中央部の前後にも背中合わせで前支柱１３、１３及び後支柱１４、１４が設けられ、左側面３Ａの前支柱１３及び後支柱１４が中央部の左側の前支柱１３及び後支柱１４にそれぞれに対向し、右側面３Ｂの前支柱１３及び後支柱１４が中央部の右側の前支柱１３及び後支柱１４にそれぞれに対向している。
【００２７】
ここで、実施例では左側面３Ａと中央部の右側の前支柱１３は同一形状であり、右側面３Ｂと中央部の左側の前支柱１３は同一形状で、且つ、左側面３Ａと中央部の右側の前支柱１３とは線対称の形状とされている。また、左側面３Ａと中央部の右側の後支柱１４は同一形状であり、右側面３Ｂと中央部の左側の後支柱１４は同一形状で、且つ、左側面３Ａと中央部の右側の後支柱１４とは線対称の形状とされているものとする。そして、これら前後の支柱１３、１４間に渡ってレール１６が架設されることになる。
【００２８】
尚、実施例では図３に示すように貯蔵室３内を左右に分割して物品を収納する物品収納容器Ｃを収納するために中央部の前後支柱１３、１４を設けているが、それに限らず、貯蔵室３の全幅に渡って物品収納容器Ｃを収納してもよい。その場合には中央部の支柱は設けられず、物品収納容器は左右側面３Ａ、３Ｂの前後支柱１３、１４間にそれぞれ架設されたレール１６、１６に保持されることになる。ここで、実施例では物品収納容器Ｃで本発明を説明するが、物品載置用の網棚でも良い。
【００２９】
レール１６はステンレス等から構成され、略水平な載置面１６Ａと略垂直な取付面１６Ｂとから成る断面略Ｌ字状を呈し、前後の支柱１３、１４間に渡る長さを有している。また、レール１６の取付面１６Ｂの前後には外方の切り起こされた後、下方に折曲された一対の係合爪１７がそれぞれ形成されている。更に、載置面１６Ａの前後の隅角部は湾曲形状とされている。そして、実施例のレール１６は前後を逆にすることで、左右対称となる形状とされている。
【００３０】
次に、図４を用いて各支柱１３、１４の構造を説明する。尚、以後の説明では左側面３Ａの前支柱１３及び後支柱１４で支柱の構造を説明する。前支柱１３には上下に所定の間隔を存して複数の係合孔１８が形成されている。また、後支柱１４は側面３Ａに沿って位置する側面部１４Ａと、この側面部１４Ａから連続して貯蔵室３の背面３Ｃに沿って位置する背面部１４Ｂとから成り、側面部１４Ａには上下に所定の間隔を存して前支柱１３の係合孔１８と同じ高さの位置に同形状の係合孔１８が複数形成されている。
【００３１】
各係合孔１８は、レール１６の係合爪１７が上から挿脱可能な幅寸法及び高さ寸法を有する挿脱部１８Ａと、この挿脱部１８Ａから連続して前方に延在し、高さ寸法が縮小された狭幅部１８Ｂとから成り、挿脱部１８Ａと狭幅部１８Ｂの下縁は同一の高さとされている。また、係合爪１７は狭幅部１８Ｂ内に進入可能ではあるが、上方への移動は規制され、取り外すことはできない上下寸法とされている。
【００３２】
一方、後支柱１４は背面部１４Ｂが貯蔵室３の背面３Ｃにネジ止めされて固定されている。また、後支柱１４の背面部１４Ｂの先端には側面部１４Ａ側に鋭角で折曲された被取付部１４Ｃが形成され、その前面は斜め前方に指向されている。
【００３３】
そして、各図中２１は本発明のガードである。このガード２１も支柱１３、１４同様の上下に渡る寸法を有し、上下を逆とすることで左右対称となる形状とされている。このガード２１は、全体として略台形となる平断面形状を呈しており、前方に指向する当接部２１Ａと、この当接部２１Ａの一側から連続して斜めに後退しながら延在する取付部２１Ｂと、当接部２１Ａの他側から連続して略直角に後退した後、先端に向けて斜めに徐々に後退しながら延在する挿入部２１Ｃとを有している。
【００３４】
そして、この挿入部２１Ｃの先端に向けて徐々に後退する部分が傾斜壁２１Ｄとされている。また、傾斜壁２１Ｄ以外の挿入部２１Ｃには当接部２１Ａまで渡る係合溝２２が上下に所定の間隔を存して複数形成されている。即ち、係合溝２２と挿入部２１Ｃの先端の間が傾斜壁２１Ｄとなる。そして、各係合溝２２は前後支柱１３、１４の各係合孔１８、１８に架設された状態の各レール１６の載置面１６Ａにそれぞれ対応する間隔で形成されている。
【００３５】
以上の構成で、レール１６及びガード２１の取付手順について図４乃至図６を用いて説明する。先ず、前後支柱１３、１４の各係合孔１８の挿脱部１８Ａにレール１６の係合爪１７を上から差し込んで係合させる。この状態で、係合爪１７は挿脱部１８Ａに位置しているが、更に図５中矢印の如くレール１６を前方に移動させて係合爪１７を係合孔１８の狭幅部１８Ｂに進入させて係合させる。尚、左側面３Ａと中央部の右側の前後支柱１３、１４に架設するレール１６と、右側面３Ｂと中央部の左側の前後支柱１３、１４に架設するレール１６は前後を逆として用い、相互に対向するようにする。
【００３６】
次に、ガード２１を後支柱１４に取り付ける。尚、左側面３Ａと中央部の右側の後支柱１４については同様の操作、右側面３Ｂと中央部の左側の後支柱１４についてはそれらと左右逆の操作となるものとする。具体的には、ガード２１の取付部２１Ｂを左側面３Ａに沿った側面部１４Ａから離間する方向に延在させ、挿入部２１Ｃを左側面３Ａに沿った側面部１４Ａ方向に延在させた状態で、挿入部２１Ｃを背面部１４Ｂの前面に対応させ、そのまま後支柱１４の側面部１４Ａ方向に図４及び図５中矢印の如く移動させていく。
【００３７】
このとき、挿入部２１Ｃの先端には先端に向けて徐々に後退する傾斜壁２１Ｄが形成されているので、挿入部２１Ｃをレール１６と貯蔵室３の後支柱１４の背面部１４Ｂ（貯蔵室３の背面３Ｃ）間に容易に進入させ、挿入することができる。
【００３８】
そして、更にガード２１を側面部１４Ａ方向に移動させると、やがてレール１６の載置面１６Ａはガード２１の係合溝２２内に進入し、係合していく。このとき、傾斜壁２１Ｄは先端に向けて徐々に後退する形状であり、載置面１６Ａの隅角部は前述した如く湾曲形状とされているので、載置面１６Ａの隅角部は円滑に係合溝２２内に進入し、係合する。
【００３９】
そして、最終的にガード２１の取付部２１Ｂが背面部１４Ｂの被取付部１４Ｃの前面に当接する。その後、ネジ２３により取付部２１Ｂを被取付部１４Ｃに固定し、ガード２１を後支柱１４に取り付ける（図６）。
【００４０】
この状態で、ガード２１の当接部２１Ａはレール１６の載置面１６Ａの後方に対応し、その裏面は貯蔵室３の背面３Ｃより離間する（図３、図６）。これにより、当接部２１Ａと貯蔵室３の背面３Ｃ間には上下に渡る冷気通路Ｄが構成される。また、物品収納容器Ｃは貯蔵室３の前面開口から挿入され、左右で対向するレール１６、１６間に渡り、それらの載置面１６Ａ、１６Ａに保持されるが、奥方向に押し込まれてもやがてガード２１の当接部２１Ａに当接するので、それ以上押し込めなくなる。それにより、物品収納容器Ｃと背面３Ｃ間にも上下に渡る同様の冷気通路Ｄが確保されることになる。従って、前端のレール１６に物品収納容器Ｃが保持された場合にも、冷気吐出口８から吐出された冷気は各冷気通路Ｄ内を降下できるようになる。
【００４１】
このようにガード２１は、レール１６の後端部に係合してレール１６の移動を規制するので、レール１６の前部に物品収納容器Ｃを載置した場合（或いは、網棚の場合には棚上の前部に偏って物品を載置した場合）にも、レール１６の後部が浮き上がって係合爪１７が係合孔１８から外れ、落下してしまう不都合を防止することができる。この場合、ガード２１は後支柱１４のみ取り付けるものであるため、前後の支柱１３、１４にそれぞれ取り付ける場合に比して取付作業が簡素化される。
【００４２】
また、レール１６に保持された状態の物品収納容器Ｃはガード２１の当接部２１Ａに当接し、その状態で物品収納容器Ｃと貯蔵室３の背面３Ｃ間には、貯蔵室３に吐出された冷気が降下する冷気通路Ｄが構成されるので、物品収納容器Ｃが貯蔵室３の背面３Ｃに当接し、又は、直前まで押し込まれることが無くなり、物品収納容器Ｃと背面３Ｃ間には冷気通路Ｄが確実に構成される。これにより、貯蔵室３の後上部から吐出された冷気は円滑に冷気通路Ｄ内を降下し、貯蔵室３内を循環することができるようになり、貯蔵室３内の均一且つ効果的な冷却を実現することができるようになる。
【００４３】
また、ガード２１の当接部２１Ａの裏面と貯蔵室３の背面３Ｃ間にも冷気通路Ｄが構成されるので、例えば網棚を使用した場合に、万一棚上の物品等が棚から更に後方に飛び出して収納され、貯蔵室３の背面３Ｃとの間の冷気通路Ｄを塞いでしまった場合にも、ガード２１の当接部２１Ａと貯蔵室３の背面３Ｃ間には確実に冷気通路Ｄは構成されるので、貯蔵室３内の冷気循環をより一層効果的且つ確実に行わせることができるようになる。
【００４４】
また、ガード２１は当接部２１Ａから連続して貯蔵室３の左側面３Ａから離間する方向に延在する取付部２１Ｂを有し、この取付部２１Ｂを後支柱１４の背面部１４Ｂの被取付部１４Ｃに取り付けるようにしたので、貯蔵室３の側面から離れた位置でガード２１を後支柱１４に取り付けることができるようになり、貯蔵室３内の奥部での作業となるガード２１の取付作業性も良好となる。
【００４５】
また、ガード２１は当接部２１Ａから連続して貯蔵室３の左側面３Ａ方向に延在する挿入部２１Ｃと、両支柱１３、１４に架設された状態のレール１６が係合する係合溝２２を有しており、この係合溝２２を挿入部２１Ｃから当接部２１Ａに渡って形成しているので、両支柱１３、１４に架設された状態のレール１６後方にガード２１の当接部２１Ａを対応させ、且つ、レール１６とガード２１との係合を達成することが可能となり、これにより、冷気通路Ｄの構成とレール１６の落下防止効果を確実に享受することができるようになる。
【００４６】
更に、各支柱１３、１４の係合孔１８を、レール１６の係合爪１７を挿脱可能な上下寸法を有する挿脱部１８Ａと、この挿脱部１８Ａから連続して前方に延在し、係合爪１７の移動が規制される上下寸法の狭幅部１８Ｂとから構成し、この狭幅部１８Ｂに係合した状態でレール１６がガード２１の係合溝２２に係合するようにしたので、レール１６の前後の浮き上がりを防止し、落下を確実に防止することが可能となる。
【００４７】
特にこの場合、ガード２１の挿入部２１Ｃの係合溝２２から当該挿入部２１Ｃの先端までの間に、該先端に向けて徐々に後退する傾斜壁２１Ｄを設けているので、レール１６の係合爪１７を係合孔１８の狭幅部１８Ｂに係合させた状態で、ガード２１を貯蔵室３の背面３Ｃ及び後支柱１４の背面部１４Ｂに沿って当該後支柱１４の側面部１４Ａ方向に移動させ、傾斜壁２１Ｄをレール１６と後支柱１４の背面部１４Ｂ間に挿入し、レール１６の後端部をガード２１の係合溝２２に係合させ易くなり、取付作業性が更に向上する。
【００４８】
尚、実施例では厨房に設置される業務用冷蔵庫で説明したが、それに限らず、例えば玄米等の農作物を冷蔵保存する保存庫に適用しても本発明は有効である。
【符号の説明】
【００４９】
１  冷却貯蔵庫
２  断熱箱体
３  貯蔵室
６  蒸発器
８  冷気吐出口
９  送風機
１３  前支柱
１４  後支柱
１４Ａ  側面部
１４Ｂ  背面部
１６  レール
１７  係合爪
１８  係合孔
１８Ａ  挿脱部
１８Ｂ  狭幅部
２１  ガード
２１Ａ  当接部
２１Ｂ  取付部
２１Ｃ  挿入部
２１Ｄ  傾斜壁
２２  係合溝
Ｃ  物品収納容器
Ｄ  冷気通路
【図１】
2012154609.tif 000003
【図２】
2012154609.tif 000004
【図３】
2012154609.tif 000005
【図４】
2012154609.tif 000006
【図５】
2012154609.tif 000007
【図６】
2012154609.tif 000008